(57)【要約】【課題】端末が十分な電力が得られない電波が微弱な場所に一時的に居る間、基地局から端末へ送信されるデータを代わりに受信してもらう。【解決手段】無線通信端末１５０は、トンネル２０１内の第１の無線通信システムの電波が微弱な場所を移動するとき、前記第１の無線通信システムよりも通信サービスエリアは狭いが通信速度はより高速な第２の無線通信システムを用いて無線通信装置１００にパケット化された下り専用のデータの代理受信を依頼する。無線通信装置１００は、無線通信端末１５０が第１の無線通信システムの電波が微弱な場所を移動する間、基地局２００からパケット化された下り専用のデータを受信する。無線通信端末１５０は、トンネル２０１を抜けるときに無線通信装置１００から代理受信してもらっていたデータを第２の無線通信システムを用いて受信し、第１の無線通信システムの通信を再開する。【選択図】      図２
2005026911.tif 000002
【特許請求の範囲】
【請求項１】
第１の無線通信システムにより前記基地局と無線通信を行う第１の無線機と、
前記第１の無線通信システムとは異なり、前記第１の無線通信システムよりも通信サービスエリアは狭いが通信速度は高速な第２の無線通信システムにより無線通信端末と無線通信を行う第２の無線機と、
前記第１の無線通信システムにより送信された信号を記録媒体に記録再生する記録再生手段と、
前記第１および第２の無線機と記録再生手段とを制御する制御手段を備え、
制御手段は、前記無線通信端末から前記第２の無線通信システムを用いて送信された代理受信の開始要求信号を第２の無線機が受けたとき、
前記第２の無線機により受信された、前記無線通信端末から前記第２の無線通信システムを用いて送信された代理受信するためのユーザ識別情報を、前記記録媒体に記録させるよう前記記録再生手段を制御し、
前記第１の無線機に対して前記ユーザ識別情報を用いて前記第１の無線通信システムの基地局と通信を行わせてパケット化された下り専用のデータを受信させ、
前記第１の無線通信システムが前記基地局から受信したデータを記録媒体に記録させ、
更に制御手段は、無線通信端末から前記第２の無線通信システムを用いて送信された代理受信の終了要求信号を第２の無線機が受けたとき、
この代理受信の終了要求を受けた無線通信端末から前記第２の無線通信システムを用いて送信されたユーザ識別情報を受信して、当該無線通信端末に代理受信していたデータを前記記録媒体から再生せるよう前記記録再生手段を制御し、
この制御により再生されたデータを前記第２の無線機によって前記無線通信端末へ送信させることを特徴とする無線通信装置。
【請求項２】
前記制御手段は、
前記代理受信の終了要求を受けた無線通信端末から前記第２の無線通信システムを用いて送信されたユーザ識別情報を受信した後、認証を行い、正しいユーザであると判断したときに当該無線通信端末に代理受信していたデータを前記記録媒体から再生せるよう前記記録再生手段を制御することを特徴とする請求項１記載の無線通信装置。
【請求項３】
前記無線通信装置は、
基地局の通信事業者によりライセンスを受けて運用されていることを特徴とする請求項１記載の無線通信装置。
【請求項４】
前記請求項１に記載の無線通信装置にパケット化された下り専用のデータを代理受信してもらうことが可能な無線通信端末であって、
第１の無線通信システムにより基地局と無線通信を行う第１の無線機と、
前記第１の無線通信システムとは異なり、前記第１の無線通信システムよりも通信サービスエリアは狭いが通信速度はより高速な第２の無線通信システムにより無線通信端末と無線通信を行う第２の無線機と、
前記第１および第２の無線機を制御する制御手段を備え、
制御手段は、代理受信の開始を要求するときに、
前記第２の無線機に代理受信の開始要求信号および代理受信するためのユーザ識別情報を前記無線通信装置へ送信させ、
制御手段は、代理受信の終了を要求するときに、
前記第２の無線機に代理受信の終了要求信号およびユーザ識別情報を前記無線通信装置へ送信させ、
前記第２の無線機に前記無線通信装置から代理受信されていたデータを受信させ、
前記第１の無線機に前記基地局と通信を開始させることを特徴とする無線通信端末。
【発明の詳細な説明】
【０００１】
【発明の属する技術分野】
本発明は、無線通信装置に関し、特に通信速度は低速であるが通信エリアが広範囲に及ぶ第１の無線通信システムと、通信速度は高速であるが通信エリアが狭い範囲の第２の無線通信システムの両方のシステムに対応する無線通信装置、無線通信端末に関する。
【０００２】
【従来の技術】
携帯電話等の無線通信システムは電波を透過させにくい材質でできた構造物の中や、地下等の電波の届かない場所、又は電波の微弱な場所にユーザが移動した際に回線が切断されてしまう問題点がある。
【０００３】
このような状況に陥った際の対処法として、他の端末に基地局からの信号を受信させて着呼情報を通知させる手法（例えば、特許文献１参照）がる。
また、無線通信の規制が必要な領域内にある移動無線通信端末と基地局との間を中継する局所通信制御装置を設けて、この局所通信制御装置にデータを一旦蓄積する手法（例えば、特許文献２参照）がある。
【０００４】
また、第１のネットワークと第２のネットワークに接続されている代表端末を設けておき、第１のネットワークで接続された端末が、代表端末を中継して第２のネットワークに接続された端末からの情報（データ）を得る手法（例えば、特許文献３参照）が提案されている。
【０００５】
【特許文献１】
特開２００２−２６２３５９公報
【特許文献２】
特開２０００−３４１７５５公報
【特許文献３】
特開２００２−１６４８４０公報
【０００６】
【発明が解決しようとする課題】
上記した従来の技術に記載した他の端末に着呼情報を通知させる手法では、通知のみであり他の通信で送られるデータは受信できないという問題があった。
また、移動無線通信端末と基地局との間を中継する中継装置（局所通信制御装置）を設ける手法では、基地局から端末へ送信されるデータに漏れが発生することなく中継装置と端末との間でデータ通信をしながら引き継ぎを行うことができないという問題があった。
【０００７】
また、上記代表端末に中継させる手法では、他の端末（代表端末）に自局の情報を通知することになり、セキュリティが脆弱になるという問題があった。
本発明は上記問題点を鑑みてなされたもので、通信を行うために十分な電力が得られない電波が微弱な場所に一時的に端末が居る間に、基地局から端末へ送信されるデータに漏れが発生することなく中継装置と端末との間でデータ通信をしながら引き継ぎを行うことができる無線通信装置、無線通信端末を提供することを目的とする。また、この発明は消費電力を低減した無線通信端末を提供することを目的とする。
【０００８】
【課題を解決するための手段】
上記の目的を達成するために、この発明においては、第１の無線通信システムにより前記基地局と無線通信を行う第１の無線機と、前記第１の無線通信システムとは異なり、前記第１の無線通信システムよりも通信サービスエリアは狭いが通信速度は高速な第２の無線通信システムにより無線通信端末と無線通信を行う第２の無線機と、前記第１の無線通信システムにより送信された信号を記録媒体に記録再生する記録再生手段と、前記第１および第２の無線機と記録再生手段とを制御する制御手段を備え、制御手段は、前記無線通信端末から前記第２の無線通信システムを用いて送信された代理受信の開始要求信号を第２の無線機が受けたとき、前記第２の無線機により受信された、前記無線通信端末から前記第２の無線通信システムを用いて送信された代理受信するためのユーザ識別情報を、前記記録媒体に記録させるよう前記記録再生手段を制御し、前記第１の無線機に対して前記ユーザ識別情報を用いて前記第１の無線通信システムの基地局と通信を行わせてパケット化された下り専用のデータを受信させ、前記第１の無線通信システムが前記基地局から受信したデータを記録媒体に記録させ、更に制御手段は、無線通信端末から前記第２の無線通信システムを用いて送信された代理受信の終了要求信号を第２の無線機が受けたとき、この代理受信の終了要求を受けた無線通信端末から前記第２の無線通信システムを用いて送信されたユーザ識別情報を受信して、当該無線通信端末に代理受信していたデータを前記記録媒体から再生せるよう前記記録再生手段を制御し、この制御により再生されたデータを前記第２の無線機によって前記無線通信端末へ送信させることを特徴とする無線通信装置を提供する。
【０００９】
また、上記無線通信装置にパケット化された下り専用のデータを代理受信してもらうことが可能な無線通信端末であって、第１の無線通信システムにより基地局と無線通信を行う第１の無線機と、前記第１の無線通信システムとは異なり、前記第１の無線通信システムよりも通信サービスエリアは狭いが通信速度はより高速な第２の無線通信システムにより無線通信端末と無線通信を行う第２の無線機と、前記第１および第２の無線機を制御する制御手段を備え、制御手段は、代理受信の開始を要求するときに、前記第２の無線機に代理受信の開始要求信号および代理受信するためのユーザ識別情報を前記無線通信装置へ送信させ、制御手段は、代理受信の終了を要求するときに、前記第２の無線機に代理受信の終了要求信号およびユーザ識別情報を前記無線通信装置へ送信させ、前記第２の無線機に前記無線通信装置から代理受信されていたデータを受信させ、前記第１の無線機に前記基地局と通信を開始させることを特徴とする無線通信端末を提供する。
【００１０】
これによれば前記無線通信端末は通信を行うために十分な電力が得られない電波の微弱な場所に一時的に移動する際に通信回線を切断されることが無く、通信を継続することができる。
【００１１】
【発明の実施の形態】
以下、図面を参照しながら本発明の実施の形態について説明する。
（第１の実施の形態）
図１は本発明の無線通信装置、無線通信端末の構成を示す図である。
図１において、１００は第１の無線通信システム（例えば、移動電話網）及び第２の無線通信システム（例えば、無線ＬＡＮ）を送受信することが可能な無線通信装置、１０１は第１の無線通信システムの送受信に用いられるアンテナ、１０２は第１の無線通信システムの送受信を行う無線機、１０３は無線機１０２及び無線機１０５を含む無線通信装置１００全体を制御する制御装置、１０４は無線機１０２や無線機１０５で受信したデータを内蔵する記録媒体へ記録するデータ蓄積装置、１０５は第２の無線通信システムの送受信を行う無線機、１０６は第２の無線通信システムの送受信に用いられるアンテナである。
【００１２】
１５０は第１の無線通信システム（例えば、移動電話網）及び第２の無線通信システム（例えば、無線ＬＡＮ）で送受信する機能を有する無線通信端末、１５１は第２の無線通信システムの送受信を行う無線機、１５２は第１の無線通信システムの送受信を行う無線機、１５３は無線機１０２及び無線機１０５を含む無線通信端末１５０全体を制御する制御装置、１５４は第２の無線通信システムの送受信に用いられるアンテナ、１５５は第１の無線通信システムの送受信に用いられるアンテナである。アンテナ１５４および１５５は、第１の無線通信システムと第２の無線通信システムとで共用して用いることができるようにしてあっても良い。
【００１３】
制御装置１０３は他に、無線機１０２で受信されたデータをデータ蓄積装置１０４に記録させる制御や、無線機１０５で受信されたデータを記録するためにデータ蓄積装置１０４へ渡す制御を行う。また、制御装置１０３は、データ蓄積装置１０４が再生したデータを無線機１０２や１０５を用いて送信する制御を行う。
【００１４】
ここで第１の無線通信システムと第２の無線通信システムの違いについて説明する。
本発明の第１の無線通信システムは、第２の無線通信システムと比べると通信速度は低速であるが、通信可能なエリア（サービスエリア）は第２の無線通信システムよりも広いことを特徴とする。言い換えると、第２の無線通信システムのサービスエリアは、第１の無線通信システムよりも狭いが、通信速度は第１の無線通信システムよりも高速であることを特徴とする。
【００１５】
例えば、第１の無線通信システムは携帯電話やＰＨＳ（Ｐｅｒｓｏｎａｌ  Ｈａｎｄｙ−ｐｈｏｎｅ  Ｓｙｓｔｅｍ）等の比較的広い範囲で通信が行えるシステムであることが好ましい。第２の無線通信システムは無線ＬＡＮ等の、第１の無線通信システムよりは狭い範囲であるが、より高速なデータ通信が行えるシステムである。第２の無線通信システムは第１の無線通信システムよりも高速な通信を行えるシステムであれば無線ＬＡＮ等特定の方式に制限されるものではなく、Ｂｌｕｅｔｏｏｔｈ、光無線や赤外線通信等の既存の無線通信システムでも良いし、ＵＷＢ（Ｕｌｔｒａ  Ｗｉｄｅ  Ｂａｎｄ）のように将来的に実現が考えられる手法でも構わない。
【００１６】
本実施の形態では、第１の無線通信システムとして移動電話網、第２の無線通信システムとして無線ＬＡＮを用いる例として説明する。しかし、本願発明はこれに限定されるものではない。
【００１７】
なお、本実施の形態における基地局から端末へ送信されるデータは、通話のように瞬時性（リアルタイム性）が要求される通信ではなく、データ通信のような遅延が許容される下り専用のデータである。
【００１８】
例としてパケット化されたデータが基地局２００から無線通信端末１５０へ送られているものとして説明する。この基地局２００から送信されるパケットには、データの順番を示すシーケンス番号が付けられている。
【００１９】
図２は、これら無線通信装置１００および無線通信端末１５０を用いた無線通信システムの例を示す図である。なお、図１と同じものについては同一符号を付して説明を省略する。
【００２０】
図２において、基地局２００は、第１の無線通信システムである移動電話網を用いて無線通信端末とデータを送受信可能な基地局である。
図２の破線による斜線部はトンネル２０１内を示し、第１の無線通信システムの電波が微弱な場所となっている。無線通信装置１００は第１の無線通信システムの電波が微弱な場所の外部、即ちトンネル２０１外部の、第１の無線通信システムの電波が良好な場所に予め設置されている。なお、トンネルは一例であり、本発明の電波が微弱な場所としては必ずしもトンネルである必要はない。
【００２１】
セキュリティ上無線通信装置１００は、第１の無線通信システムの基地局２００と同じ通信事業者のものか、通信事業者にライセンスされた事業者が運用しており、無線通信端末１５０の第１の無線通信サービスはこの通信事業者が行っている。
【００２２】
無線通信端末１５０は、図１で説明した通り、第１の無線通信システム（例えば、移動電話網）及び第２の無線通信システム（例えば、無線ＬＡＮ）で送受信する機能を有している。
【００２３】
今、無線通信端末１５０がａ地点からｄ地点へ移動していく場合について考える。
ａ地点にいる無線通信端末１５０は、第１の無線通信システムを用いて通信を行うために十分な電力が送受信出来る場所に位置している。
ｂ地点にいる無線通信端末１５０は、第１の無線通信システムの通信を行うために十分な電力を送受信できる場所から、電波が微弱な場所へと移動しようとしている。
【００２４】
ｃ地点にいる無線通信端末１５０は、第１の無線通信システムによる電波が微弱な場所に位置している。
ｄ地点にいる無線通信端末１５０は、第１の無線通信システムによる電波が微弱な場所から、通信を行うために十分な電力を送受信できる場所へと移動しようとしている。
【００２５】
（無線通信端末１５０が、第１の無線通信システムによる電波が良好な場所から微弱な場所へと移動するときの代理受信開始の動作）
次に、第１の無線通信システムの電波が良好な場所にいる無線通信端末１５０が、第１の無線通信システムを用いて基地局２００と通信を行っているとき、電波が微弱なトンネル２０１内へ移動していく場合の無線通信端末１５０および無線通信装置１００の動作について図３乃至図５を用いて詳細に説明する。
【００２６】
図３に示すように、無線通信端末１５０は第１の無線通信システムによる電波が微弱なトンネル２０１内へ移動していくとき、トンネル２０１の入り口に設けられたアンテナ１０６を通じて無線通信装置１００へ代理受信の要求を行う。アンテナ１０６は第２の無線通信システムを送受信するために用いられるアンテナである。このアンテナ１０６を用いた第２の無線通信システムは、第１の無線通信よりも通信可能なエリアは狭いが、より高速なデータ通信が可能である。以下、無線通信端末１５０と無線通信装置１００との通信については特にことわらないがアンテナ１０６を介して通信を行う。
【００２７】
無線通信端末１５０と無線通信装置１００は、共に第１および第２の無線通信システムを送受信する機能を有している。
この無線通信端末１５０が代理受信を要求する時期としては、トンネルのように徐々に電界強度が小さくなる場合には、受信電力が予め設定された閾値以下になったときに行う。
【００２８】
無線通信端末１５０は、無線通信装置１００に代理受信をしてもらう際、無線通信装置１００が基地局２００から第１の無線通信システムを用いて送信された信号を代理受信するために必要なユーザ識別情報を第２の無線通信システムを用いて無線通信装置１００へ送信する。無線通信装置１００は、第２の無線通信システムを用いて無線通信端末１５０から受信した上記ユーザ識別情報をデータ蓄積装置１０４内の記録媒体に記録させる。
【００２９】
このときの無線通信端末１５０および無線通信装置１００の動作を図４を用いて詳細に説明する。
図４において、無線通信端末１５０は通信中か否か判断する（ステップＳ４０１）。
無線通信端末１５０は、ステップＳ４０１で通信中と判断したときにはＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示信号）を測定し（ステップＳ４０２）、通信中でないと判断したときには処理を終了する。
【００３０】
無線通信端末１５０は、ステップＳ４０２で測定したＲＳＳＩが閾値以下か否かを判断し（ステップＳ４０３）、閾値以下であれば第２の無線通信システムを用いて無線通信装置１００へ代理受信の要求を行い（ステップＳ４０４）、閾値以下でなければステップＳ４０２へ戻る。
【００３１】
無線通信端末１５０は、ステップＳ４０４で代理受信の要求を行った後、この要求を行ってからのタイマーカウントを行い（ステップＳ４０５）、上記ステップＳ４０４による代理受信の要求に対する応答信号である代理受信応答信号を無線通信装置１００から受信したか否かを判断する（ステップＳ４０６）。
【００３２】
無線通信端末１５０は、ステップＳ４０６の判断結果が代理受信応答信号を受信していたことを示す場合、代理受信の要求が許諾されたか否かを判断し（ステップＳ４０７）、受信していないことを示す場合、ステップＳ４０５によるタイマーカウントの値が規定の時間を超過したか否かを判断する（ステップＳ４０８）。
【００３３】
無線通信端末１５０は、ステップＳ４０８にて規定の時間を超過した場合にはステップＳ４０４へ戻り改めて代理受信の要求を行い、超過していない場合にはステップＳ４０５へ戻りタイマーカウントを行う。
【００３４】
無線通信端末１５０は、ステップＳ４０７での判断結果が代理受信の要求が許諾された場合には第２の無線通信システムを用いてユーザ識別情報を無線通信装置１００へ送信し（ステップＳ４０９）、許諾されなかった場合にはステップＳ４０４へ戻り改めて代理受信の要求を行う。
【００３５】
無線通信端末１５０は、ステップＳ４０９にてユーザ識別情報を無線通信装置１００へ送信した後、このユーザ識別情報を無線通信装置１００が受け取ったとの通知を受けると、第１の通信システムを用いた基地局２００との通信を停止する（ステップＳ４１０）。
【００３６】
無線通信端末１５０が無線通信装置１００へ送信するユーザ識別情報とは、無線通信装置１００が無線通信端末１５０の代理に基地局２００からデータを受信するために必要とする情報であり、この情報の中には端末を識別するためのＩＤや、ＣＤＭＡ方式であるならば無線通信端末１５０が使用していた符号等についても含まれている。契約されるＩＤが端末ではなく、端末に挿入して用いるカードである場合もある。
【００３７】
ユーザ識別情報は、例えば、端末固有のＩＤ，基地局とリンクが張られたときに基地局から割当てられるＩＤ，フレームのタイミング等である。更に、受信したパケットの番号，秘匿情報の場合ユーザ識別情報は暗号化の情報を用いても良い。
【００３８】
ＣＤＭＡ方式の場合には、更にユーザ識別情報として通信で使っている拡散符号，スクランブル符号を使う。
無線通信装置１００は、無線通信端末１５０から代理受信の要求を受けると（ステップＳ４５１）、この要求を受けるか否かを判断する（ステップＳ４５２）。この判断の結果、要求を受ける場合には許諾することを示す代理受信応答信号を無線通信端末１５０へ送信する（ステップＳ４５３）、要求を受けない場合には許諾しないことを示す代理受信応答信号を無線通信端末１５０へ送信する（ステップＳ４５４）。
【００３９】
無線通信装置１００は、無線通信端末１５０からユーザ識別情報を受信すると、このユーザ識別情報を受信したことを無線通信端末１５０へ通知する（ステップＳ４５５）。
【００４０】
無線通信装置１００は、ステップＳ４５５でユーザ識別情報を受信すると、このユーザ識別情報を用いて基地局２００との通信を開始し、下り専用のデータを無線通信端末１５０に代わって受信してデータ蓄積装置１０４内の記録媒体に記録する（ステップＳ４５６）。これにより無線通信装置１００による代理受信が開始される。
【００４１】
なお、無線通信端末１５０と無線通信装置１００の両方が同時に応答すると基地局２００側で問題が発生するため、必ず無線通信端末１５０と無線通信装置１００のいずれか一方が基地局２００と通信を行うよう動作させる必要がある。このため無線通信装置１００は、無線通信端末１５０がステップＳ４１０で基地局２００との通信を停止しているはずの時刻（例えば、ユーザ識別情報を受信したことを無線通信端末１５０へ通知してから所定時間後等）になってからステップＳ４５６で基地局２００と通信を開始するようにする。
【００４２】
また、これに代え、無線通信端末１５０がステップＳ４１０で通信を停止したことを無線通信装置１００へ通知するようにし、この通知を無線通信装置１００が受信後にステップＳ４５６で基地局２００と通信を開始するようにしても良い。
【００４３】
無線通信端末１５０と基地局２００との間の通信が先に切れても、直ぐに無線通信装置１００と基地局２００とが通信を開始する。このため基地局２００はパケットの再送信を数回繰り返す程度の内に無線通信装置１００と基地局２００と間で通信が開始されるためデータが取りこぼされることはない。
【００４４】
無線通信端末１５０は、トンネル２０１内を進んでいて代理受信してもらっている間はデータ通信することがないので、消費電力を低減することができる。
次に、本発明をエレベータのように瞬時に受信電力が微弱になるようなものに適用する場合について説明する。
基地局２００と無線通信端末１５０がトンネルに代えエレベータに乗り降りする例に適用する場合について説明をする。
エレベータ内部では無線通信が途絶えてしまう。このため無線通信装置１００はエレベータの入り口に設けたアンテナ１０６を使った第２の無線通信システムにて、本エレベータが代理受信に対応していることを無線通信端末１５０へ伝える。
【００４５】
このときの無線通信端末１５０および無線通信装置１００の動作を図５を用いて説明する。
無線通信端末１５０は、エレベータが代理受信に対応していることを第２の無線通信システムを用いて無線通信装置１００から通知されたか否かを判断する（ステップＳ５０１）。
【００４６】
無線通信端末１５０は、ステップＳ５０１で通知を受けていない場合にはステップＳ５０１へ戻る。
無線通信端末１５０は、エレベータに乗り込もうとするユーザに携帯されている場合、エレベータの入り口にきたときにステップＳ５０１での通知を受けることになる。無線通信端末１５０は、ステップＳ５０１で通知を受けると、代理受信を無線通信装置１００へ依頼するか否かを判断し（ステップＳ５０２）、代理受信を依頼する場合には第２の無線通信システムを用いて無線通信装置１００へ代理受信の要求を行う（ステップＳ５０３）。
【００４７】
ここでは、エレベータに搭乗可能人数から全ての代理受信の要求を受けられるものとして説明する。よって、無線通信端末１５０は、ステップＳ５０３の要求を受け入れられることになる（ステップＳ５０４）。
【００４８】
無線通信端末１５０は、ステップＳ５０４にて代理受信が受け入れられると、無線通信装置１００が代理受信するために必要なユーザ識別情報を第２の無線通信システムを用いて無線通信装置１００へ送信する（ステップＳ５０５）。
【００４９】
無線通信端末１５０は、ステップＳ５０５にてユーザ識別情報を無線通信装置１００へ送信した後、このユーザ識別情報を無線通信装置１００が受け取ったとの通知を受けると、第１の通信システムを用いた基地局２００との通信を停止する（ステップＳ５０６）。
【００５０】
先にも説明した通り、無線通信装置１００は本エレベータが代理受信に対応していることを無線通信端末１５０へ伝える（ステップＳ５５１）。
無線通信装置１００は、無線通信端末１５０からステップＳ５０３による代理受信要求を受けると（ステップＳ５５２）、先にも説明した通り代理受信するための回線等には余裕をもたせているため代理受信要求を許諾する（ステップＳ５５３）。
【００５１】
無線通信装置１００は、この許諾に応答して無線通信端末１５０からユーザ識別情報を受信すると、このユーザ識別情報を受信したことを無線通信端末１５０へ通知する（ステップＳ５５４）。
【００５２】
無線通信装置１００は、ステップＳ５５４でユーザ識別情報を受信すると、このユーザ識別情報を用いて基地局２００との通信を開始し、下り専用のデータを無線通信端末１５０に代わって受信してデータ蓄積装置１０４内の記録媒体に記録する（ステップＳ５５５）。これにより無線通信装置１００による代理受信が開始される。
【００５３】
なお、無線通信端末１５０と無線通信装置１００の両方が同時に応答すると基地局２００側で問題が発生するため、必ず無線通信端末１５０と無線通信装置１００のいずれか一方が基地局２００と通信を行うよう動作させる必要がある。このため無線通信装置１００は、無線通信端末１５０がステップＳ５０６で基地局２００との通信を停止しているはずの時刻（例えば、ユーザ識別情報を受信したことを無線通信端末１５０へ通知してから所定時間後等）になってからステップＳ５５５で基地局２００と通信を開始するようにする。
【００５４】
また、これに代え、無線通信端末１５０がステップＳ５０６で通信を停止したことを無線通信装置１００へ通知するようにし、この通知を無線通信装置１００が受信後にステップＳ５５５で基地局２００と通信を開始するようにしても良い。
【００５５】
無線通信端末１５０と基地局２００との間の通信が先に切れても、直ぐに無線通信装置１００と基地局２００とが通信を開始する。このため基地局２００はパケットの再送信を数回繰り返す程度の内に無線通信装置１００と基地局２００と間で通信が開始されるためデータが取りこぼされることはない。
【００５６】
（無線通信端末が、第１の無線通信システムによる電波が微弱な場所を移動する間の動作）
この後、無線通信端末１５０は、図６に示すように第１の無線通信システムによる電波の微弱な場所を移動していく間、無線通信装置１００は無線通信端末１５０の代理受信を行う。
【００５７】
無線通信装置１００は、代理受信を行う各無線通信端末の識別情報や各端末が受信するデータ情報を受信してデータ蓄積装置１０４内の記録媒体に記録する。このため先にも説明したがセキュリティ上、無線通信装置１００は第１の無線通信システムの通信事業者がサービスするか、この通信事業者によりライセンスされている。
【００５８】
よって無線通信端末１５０は、第２の無線通信システムを用いて無線通信装置１００へ代理受信を依頼する際に、一方的に自局の識別情報を送信するのではなく、無線通信装置１００が第１の無線通信システムの通信事業者にライセンスされた無線通信装置であるか否かを判別することが望ましい。これにより自局の識別情報の不要な漏洩を防ぐことができる。
【００５９】
（無線通信端末が、第１の無線通信システムによる電波が微弱な場所から良好な場所へと移動するときの動作）
次に、代理受信を終了する際の本実施の形態の動作について説明する。
図７に示す通り、無線通信端末１５０は、トンネル２０１の出口に近付くにつれ、次第に第１の無線通信システムによる強い電波を受信する。
無線通信端末１５０は、無線通信端末１５０による受信電力の強度が予め定められた閾値以上になった場合、トンネル２０１の出口に設けられたアンテナ１０６を用いた第２の無線通信システムにより無線通信装置１００へ代理受信終了の請求を行う。
【００６０】
次に、無線通信端末１５０は、トンネル２０１の出口に設けられているアンテナ１０６に向けて第２の無線通信システムでユーザ識別情報を送信する。
無線通信装置１００は、代理受信を開始する際に受信してデータ蓄積装置１２０に保存していたユーザ識別情報を用いてユーザ認証を行う。
無線通信装置１００は、このユーザ認証により正規の無線通信端末１５０と判断すると、この判断結果を第２の無線通信システムで無線通信端末１５０へ通知し、第１の無線通信システムによる基地局２００との通信（データの受信）を切断する。無線通信装置１００は、代理受信していたデータがデータ蓄積装置１２０に記録されていればこの代理受信していたデータを第２の無線通信システムを介して、第１の無線通信システムより高速に無線通信端末１５０に送信する。
【００６１】
無線通信端末１５０は、無線通信装置１００によってユーザ認証により正規の無線通信端末１５０と判断されると、第１の無線通信システムを用いた通信（データの受信）を基地局２００との間で再開する。
【００６２】
基地局２００は常に同じ符号を用いて無線通信端末１５０或いは無線通信装置１００の一方との接続がなされている。無線通信端末１５０から無線通信装置１００への切替え時、または無線通信装置１００から無線通信端末１５０への切替え時、瞬間的に基地局２００の接続先が存在しない時間が発生したとしても、これは瞬間的なので基地局２００との接続は切れることがない。
【００６３】
なお、無線通信端末１５０が第１の無線通信システムと第２の無線通信システムの両方を同時に通信することができない場合には、無線通信端末１５０は第２の無線通信システムで代理受信してもらったデータを受信後、第１の無線通信システムと接続するようにすれば良い。
【００６４】
このときの無線通信端末１５０および無線通信装置１００の動作を図８を用いて詳細に説明する。
図８において、無線通信端末１５０は代理受信を依頼中か否か判断する（ステップＳ８０１）。
無線通信端末１５０は、ステップＳ８０１で代理受信を依頼中のときには第１の無線通信システムによるＲＳＳＩを測定し（ステップＳ８０２）、代理受信を依頼中でないとき処理を終了する。
【００６５】
無線通信端末１５０は、ステップＳ８０２で測定したＲＳＳＩが閾値以上か否かを判断し（ステップＳ８０３）、閾値以上であれば第２の無線通信システムを用いて無線通信装置１００へ代理受信終了の要求を行い（ステップＳ８０４）、閾値以上でなければステップＳ８０２へ戻る。
【００６６】
無線通信端末１５０は、ステップＳ８０４で代理受信終了の要求を行ってからのタイマーカウントを行い（ステップＳ８０５）、上記ステップＳ８０４による代理受信終了の要求に対する応答である代理受信終了応答信号を無線通信装置１００から受信したか否かを判断する（ステップＳ８０６）。
【００６７】
無線通信端末１５０は、ステップＳ８０６での判断結果が代理受信終了応答信号を受信したことを示す場合、第２の無線通信システムを用いてユーザ識別情報を無線通信装置１００へ送信し（ステップＳ８０７）、代理受信終了応答信号を受信しなかったことを示す場合、ステップＳ８０５によるタイマーカウントの値が規定の時間を超過したか否かを判断する（ステップＳ８０８）。
【００６８】
無線通信端末１５０は、ステップＳ８０８にて規定の時間を超過した場合にはステップＳ８０４へ戻り改めて代理受信終了の要求を送信し直し、超過していない場合にはステップＳ８０５へ戻りタイマーのカウントを行う。
【００６９】
無線通信端末１５０は、無線通信装置１００から受信したユーザ認証の結果を受信し、このユーザ認証の結果が正しいユーザであることを示す否かを判断する（ステップＳ８０９）。
【００７０】
無線通信端末１５０は、ステップＳ８０９でのユーザ認証の結果が正しいユーザであることを示していた場合には基地局２００との通信を開始する（ステップＳ８１０）。
【００７１】
無線通信端末１５０は、無線通信装置１００に代理受信してもらっていたデータがあればこの代理受信してもらっていたデータを受信してから処理を終了し、なければ即処理を終了する（ステップＳ８１１，ステップＳ８１２）。
【００７２】
無線通信装置１００は、代理受信中（ステップＳ８５１）に、第２の無線通信システムを用いて無線通信端末１５０から代理受信終了の要求を受ける（ステップＳ８５２）と、これを許諾するか否か判断する（ステップＳ８５３）。
【００７３】
無線通信装置１００は、ステップＳ８５３の要求を許諾する場合この許諾することを無線通信端末１５０へ通知し（ステップＳ８５４）、許諾しない場合にはこの許諾しないことを無線通信端末１５０へ通知する（ステップＳ８５５）。
【００７４】
なお、このステップＳ８５３では、代理受信することを受けたにもかかわらず、代理受信終了の要求を受けないのは問題があるため、通常無線通信装置１００は許諾することとなる。
【００７５】
無線通信装置１００は、ステップＳ８０７により無線通信端末１５０からユーザ識別情報を受信すると、このユーザ識別情報を用いてユーザ認証を行う（ステップＳ８５６）。この認証は、代理受信を開始する際に受信してデータ蓄積装置１２０に保存していたユーザ識別情報を用いてユーザ認証を行う。
【００７６】
無線通信装置１００は、ステップＳ８５６によるユーザ認証の結果を第２の無線通信システムを用いて無線通信端末１５０へ送信し（ステップＳ８５８，ステップＳ８５９）、基地局２００との通信を停止する（ステップＳ８６０）。
【００７７】
無線通信装置１００は、ユーザ認証の結果が正しいユーザであることを示していた場合には代理受信したデータが存在しているか否かを第２の無線通信システムを用いて無線通信端末１５０へ通知する（ステップＳ８６１）。
【００７８】
無線通信装置１００は、代理受信したデータがデータ蓄積装置１０４に存在している場合この代理受信していたデータを第２の無線通信システムを用いて無線通信端末１５０へ送信する（ステップＳ８６２）。これにより無線通信装置１００による代理受信が終了される。
【００７９】
なお、無線通信端末１５０と無線通信装置１００の両方が同時に応答すると基地局２００側で問題が発生するため、必ず無線通信端末１５０と無線通信装置１００のいずれか一方が基地局２００と通信を行うよう動作させる必要がある。このため無線通信端末１５０は、無線通信装置１００がステップＳ８６０で基地局２００との通信を停止しているはずの時刻（例えば、ユーザ識別情報を受信したことを無線通信端末１５０へ通知してから所定時間後等）になってからステップＳ８１０で基地局２００と通信を開始するようにする。
【００８０】
また、これに代え、無線通信装置１００がステップＳ８６０で通信を停止したことを無線通信端末１５０へ通知するようにし、この通知を無線通信端末１５０が受信後にステップＳ８１０で基地局２００と通信を開始するようにしても良い。
【００８１】
無線通信装置１００と基地局２００との間の通信が先に切れても、直ぐに無線通信端末１５０と基地局２００とが通信を開始する。このため基地局２００はパケットの再送信を数回繰り返す程度の内に無線通信端末１５０と基地局２００と間で通信が開始されるためデータが取りこぼされることはない。
【００８２】
なお、エレベータのように突然電力が強くなるようなものに本発明を適用する場合には、無線通信装置１００から無線通信端末１５０へ代理受信終了の通知を第２の無線通信システムを用いて送信するようにする。
【００８３】
このときの無線通信端末１５０および無線通信装置１００の動作を図９を用いて詳細に説明する。
図９において、無線通信端末１５０は代理受信を依頼中か否かを判断し（ステップＳ９０１）、代理受信を依頼していた場合には代理受信終了を要求する代理受信終了信号を無線通信装置１００から受信したか否かを判断し（ステップＳ９０２）、代理受信終了信号を無線通信装置１００から受信していない場合にはステップＳ９０２の処理へ戻る。
【００８４】
無線通信端末１５０は、ステップＳ９０２にて代理受信終了信号を無線通信装置１００から受信した場合、ユーザ識別情報を第２の無線通信システムを用いて無線通信装置１００へ送信する（ステップＳ９０３）。
【００８５】
無線通信端末１５０は、無線通信装置１００によるユーザ認証の結果が正しいユーザであると判断された場合、基地局２００との通信を開始する（ステップＳ９０５）。
【００８６】
無線通信端末１５０は、無線通信装置１００が代理受信受信していたデータがあればこのデータを受信してから終了し、なければ即処理を終了する（ステップＳ９０６，ステップＳ９０７）。
【００８７】
無線通信装置１００は代理受信を行っているとき（ステップＳ９５１）、無線通信端末１５０がエレベータを降りたことを検出する（ステップＳ９５２）。この検出方法としては、例えば、基地局２００からの電波を受信できるようになったこと、或いは無線通信装置１００の電波が届く位置にきたことにより、無線通信端末１５０がエレベータを降りたことを検出すれば良い。
【００８８】
無線通信装置１００は、ステップＳ９５２で無線通信端末１５０がエレベータを降りたことを検出すると、第２の無線通信システムを用いて無線通信端末１５０に対して代理受信終了の要求を行う（ステップＳ９５３）。
【００８９】
無線通信装置１００は、ステップＳ９０３により無線通信端末１５０から送信されたユーザ識別情報を受信すると、ユーザ認証を行う（ステップＳ９５４）。この認証は、代理受信を開始する際に受信してデータ蓄積装置１２０に保存していたユーザ識別情報を用いてユーザ認証を行う。
【００９０】
無線通信装置１００は、この認証の結果を第２の無線通信システムを用いて無線通信端末１５０へ通知する（ステップＳ９５６，ステップＳ９５７）。
無線通信装置１００は、ステップＳ９５５での認証の結果が正しいユーザであることを示していた場合、基地局２００との通信を停止する（ステップＳ９５８）。
無線通信装置１００は、代理受信したデータがデータ蓄積装置１０４に存在しているか否かを第２の無線通信システムを用いて無線通信端末１５０へ通知する（ステップＳ９５９）。
【００９１】
無線通信装置１００は、代理受信したデータが存在している場合このデータを第２の無線通信システムを用いて無線通信端末１５０へ送信する（ステップＳ９６０）。これにより無線通信装置１００による代理受信が終了される。
【００９２】
なお、無線通信端末１５０と無線通信装置１００の両方が同時に応答すると基地局２００側で問題が発生するため、必ず無線通信端末１５０と無線通信装置１００のいずれか一方が基地局２００と通信を行うよう動作させる必要がある。このため無線通信端末１５０は、無線通信装置１００がステップＳ９５８で基地局２００との通信を停止しているはずの時刻（例えば、ユーザ識別情報を受信したことを無線通信端末１５０へ通知してから所定時間後等）になってからステップＳ９０５で基地局２００と通信を開始するようにする。
【００９３】
また、これに代え、無線通信装置１００がステップＳ９５８で通信を停止したことを無線通信端末１５０へ通知するようにし、この通知を無線通信端末１５０が受信後にステップＳ９０５で基地局２００と通信を開始するようにしても良い。
【００９４】
無線通信装置１００と基地局２００との間の通信が先に切れても、直ぐに無線通信端末１５０と基地局２００とが通信を開始する。このため基地局２００はパケットの再送信を数回繰り返す程度の内に無線通信端末１５０と基地局２００と間で通信が開始されるためデータが取りこぼされることはない。
【００９５】
以上説明したように、本発明においては、通信を行うために十分な電力が得られない電波が微弱な場所に一時的に端末が居る間に基地局から端末へ送信される信号を受信することが出来る。また、無線通信端末は、通信を行うために十分な電力が得られない電波が微弱な場所に居る間、第１および第２の無線通信システムを用いずに済むので、無線通信端末の消費電力を低減することができる。
【００９６】
（第２の実施の形態）
次に本発明の第２の実施の形態について説明する。
第１の実施の形態において第１の無線通信システムを介して送信される情報は瞬時性（リアルタイム性）が要求されるものではなく、遅延が許容される情報であった。しかし、第２の実施の形態では通話等の瞬時性が要求される通信に関する。
【００９７】
第２の実施の形態は第１の無線通信システムによる電波が微弱な場所へ移動する際に、あらかじめ第１の無線通信システムの電波の良好な場所に設置された無線通信装置１００に対して第２の無線通信システムを介してユーザ識別情報を送信する点は第１の実施の形態と同様である。
【００９８】
第２の実施の形態が第１の実施の形態と異なる点は、図６において無線通信端末１５０が電波の微弱な場所に移動した後、基地局２００から第１の無線通信システムを用いて送信され、無線通信装置１００にて代理受信した信号をデータ蓄積装置１０４に記録するのではなく、破棄する点である。
【００９９】
第２の実施の形態のように瞬時性が要求される通信の場合、データを蓄積し、一定時間経過後まとめて受信することは不可能である。
従って、データの蓄積は行わず、回線の保持のみを行う。
なお、無線通信端末が電波の微弱な場所から通信を行うのに十分な電力を送受信できる場所に移動する際は、第１の実施の形態と同様第２に無線通信システムを介してユーザ認証を行い、代理受信の終了を通知するようにすれば良い。
【０１００】
以上説明したように、本発明においては電波が微弱な場所に無線通信端末が移動しても回線が切断されることは無いため、再発呼の手間を省くことができる。なお、本実施の形態では代理受信を行う際に回線の保持のみを行うとしたが、無線通信装置１００から通話相手に対し一時的に応答することが出来ない旨を知らせる音声を送信しても良いし、保留音や待ち受け画像等を送信しても構わない。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０２】
【発明の効果】
以上説明したようにこの発明によれば、通信を行うために十分な電力が得られない電波が微弱な場所に一時的に端末が居る間に基地局から端末へ送信されるデータに漏れが発生することなく中継装置と端末との間でデータ通信をしながら引き継ぎを行うことができる。
【図面の簡単な説明】
【図１】本発明の無線通信装置および無線通信端末の構成を説明するためのブロック図。
【図２】本発明の無線通信システムを説明するための図。
【図３】代理受信を開始するときの無線通信システムを説明するための図。
【図４】代理受信を開始するときの無線通信システムの動作を説明するための図。
【図５】代理受信を開始するときの無線通信システムの動作を説明するための図。
【図６】代理受信をしているときの無線通信システムを説明するための図。
【図７】代理受信を終了するときの無線通信システムを説明するための図。
【図８】代理受信を終了するときの無線通信システムの動作を説明するための図。
【図９】代理受信を終了するときの無線通信システムの動作を説明するための図。
【符号の説明】
１００…無線通信装置、１０１，１０６，１５４，１５５…アンテナ、１０２，１０５，１５１，１５２…無線機、１０３，１５３…制御装置、１０４…データ蓄積装置、１５０…無線通信端末、２００…基地局、２０１…トンネル。
【図１】
2005026911.tif 000003
【図２】
2005026911.tif 000004
【図３】
2005026911.tif 000005
【図４】
2005026911.tif 000006
【図５】
2005026911.tif 000007
【図６】
2005026911.tif 000008
【図７】
2005026911.tif 000009
【図８】
2005026911.tif 000010
【図９】
2005026911.tif 000011